(57)【要約】【課題】本発明は、蚊や蝿等の外的要因から乳幼児を保護することができるとともに、通気性を確保ができ、さらに、カバーを被覆状態においても乳幼児はカバー外側の視界を良好に保つことができるため圧迫感を感じず、安全、且つ、清潔に使用することができる乳母車用カバーの提供を目的とする。【解決手段】走行形態を有し、座席を備えた乳母車Ａの乳母車用カバーであって、上記カバーのカバー面を網目状１８に形成し、該カバー面を上記乳母車Ａの前側面から略全体を被覆する縦断した半卵状に形成し、該カバー面における所定の部位に、所定大の透明色のシート部材１９ｂ、２９ａ、３１ｂを用いて少なくとも１つの窓部１９、２９、３１を形成し、上記カバーにおける少なくとも上端側と下端側とに、前記乳母車Ａへ取り付ける取り付け手段２２、２３、２４、２５、２７を形成した乳母車用カバー１７、２６、２８、３０、４０、５０。【選択図】    図１
2004291931.tif 000002
【特許請求の範囲】
【請求項１】
走行形態を有し、座席を備えた乳母車の乳母車用カバーであって、
上記カバーのカバー面を網目状に形成し、該カバー面を上記乳母車の前側面から略全体を被覆する縦断した半卵状に形成し、
該カバー面における所定の部位に、所定大の透明色のシート部材を用いて少なくとも１つの窓部を形成し、
上記カバーにおける少なくとも上端側と下端側とに、前記乳母車へ取り付ける取り付け手段を形成した
乳母車用カバー。
【請求項２】
前記乳母車の前側面部に対応するカバー面の位置に前記窓部を形成した
請求項１に記載の乳母車用カバー。
【請求項３】
前記カバーの外周縁に該外周縁を絞り込む弾性線状体を取り付けた
請求項１、又は、２に記載の乳母車用カバー。
【請求項４】
前記取り付け手段を、乳母車の所定の部位の部材に係止して前記カバーを取り付ける係止部材で形成した
請求項１、２、又は、３に記載の乳母車用カバー。
【請求項５】
前記取り付け手段を、乳母車の所定の部位の部材に結紐して前記カバーを取り付ける紐状体で形成した
請求項１から４のいずれか１つに記載の乳母車用カバー。
【発明の詳細な説明】
【０００１】
【発明の属する技術分野】
この発明は、例えば、乳母車に取り付けるだけで蚊や蝿等の外的要因から乳幼児を保護することができる乳母車用カバーに関する。
【０００２】
【従来の技術】
従来、乳母車に乗車している乳幼児を快適な状態で保護するために様々な工夫がなされてきた。特に、乳母車に乗車している乳幼児を蒸れや熱気等に対して快適な状態に保ち、しかも虫等を阻害する蚊帳としての機能を有する先行技術として乳母車用蚊帳とよばれるものが提案されている（特許文献１参照）。
【０００３】
上記乳母車用蚊帳の形態は、通気性のよい布を釣鐘形に形成し、該布の側面部には上下方向に開閉口を、該布の下端部には、ゴムの入ったビニル布を形成している。
【０００４】
上述した形態を採る乳母車用蚊帳は、取り付けの際にわざわざ乳母車の上方から布を被覆する必要があり、面倒である。しかも上記乳母車用蚊帳取り付けると乳母車の略全体が被覆される形態となるが、この状態で布の内側に位置する乳幼児は、布に通気性が確保されているため、暑くても蒸れることが防止されるが、しかし、全体を覆う布により視界が低下し、精神的に圧迫感を感じる恐れがある。
【０００５】
また、乳母車用蚊帳内に虫等が入らないように該乳母車用蚊帳の下端部を地面に接触させて走行させるが、走行路の状態によっては、布が汚れたり、石等の路面の凹凸に引っ掛かることや、車輪が布を踏みつけて、該布が巻き込まれて乳母車用蚊帳が破損するといった難点を有する。
【０００６】
【特許文献１】
特開２０００−１５９１２２号公報。
【０００７】
【発明が解決しようとする課題】
そこで本発明は、蚊や蝿、あるいは埃等の外的要因から乳幼児を保護することができるとともに、通気性を確保ができ、さらに、カバーを被覆状態においても乳幼児はカバー外側の視界を良好に保つことができるため圧迫感を感じず、安全、且つ、清潔に使用することができる乳母車用カバーの提供を目的とする。
【０００８】
【課題を解決するための手段】
この発明は、走行形態を有し、座席を備えた乳母車の乳母車用カバーであって、上記カバーのカバー面を網目状に形成し、該カバー面を上記乳母車の前側面から略全体を被覆する縦断した半卵状に形成し、該カバー面における所定の部位に、所定大の透明色のシート部材を用いて少なくとも１つの窓部を形成し、上記カバーにおける少なくとも上端側と下端側とに、前記乳母車へ取り付ける取り付け手段を形成した乳母車用カバーであることを特徴とする。
【０００９】
上述する構成によれば、網目状（ネット状）で、且つ、縦断した半卵状のカバーを乳母車の前面側から乳母車の略全体を被覆し、該カバーの上、又は／及び、下端部を取り付け手段で乳母車のフレーム等の部材に取り付けて固定する。
【００１０】
カバー面を網目状に形成し、しかも、網目の大きさをカバー内に進入する蚊や蝿等の虫を疎外する細目に形成すれば、虫や埃等の進入を防ぐことができる。しかも、カバー内の通気性を確保することができる。
【００１１】
さらに、乳幼児はカバー面の窓部を通じて視界を確保することができる。
【００１２】
この際、特に前記窓部を前記乳母車の前面部に対応する位置に形成すれば、乳幼児は座席に乗車している状態で正面に対応する窓部が透明色であるため視界を良好に保つことができるため、乳幼児はより快適に乗車することができる。
【００１３】
また、上記透明色のシート部材には、有色透明、無色透明、又は、半透明を含み、例えば、前記シート部材をグレースモーク色、ブラウンハーフ色の有色透明で形成し、遮光機能、紫外線カットを有する窓部を形成してもよい。また、上面に対応する部位に形成して遮光機能を利用して窓部を日除けとして用いてもよい。
【００１４】
なお、上記網目状のカバー面の所定部位に乳母車の乗降動作、又は、乳幼児の世話が可能な開閉部を形成することを含み、開閉部は、例えばスライドファスナ、又は、ステッチ等の開閉手段で開閉可能に形成することも含む。
【００１５】
前記カバーの外周縁に該外周縁を絞り込む弾性線状体を取り付けることができる。
【００１６】
前記弾性線状体はゴム紐部材、スプリング等で形成することができ、この場合、乳母車用カバーの乳母車へ取り付ける時、該弾性線状体を手で伸張し、乳母車用カバーの外周縁部を乳幼児が被覆可能な大きさに開口させた状態で被覆して、乳母車に取り付ける該乳母車における所定の部位で手を離せば、該弾性線状態は、乳母車の所定の部位における外周部形状に応じた形状に受動的に収縮し、虫等のカバー内への進入を防ぐ。
【００１７】
さらに、前記取り付け手段を、乳母車の所定の部位で係止して前記カバーを取り付ける係止部材で形成することができる。
【００１８】
前記係止部材は、面ファスナ、フォック、スナップ、マグネット、フック、スライドファスナ等を含む。その他、例えば、ベルト状の線状体（ストラップ）等の他の物に上記係止部材を添着する等組み合わせて形成したものを係止部材として用いることも含む。
【００１９】
また、前記取り付け手段を、乳母車の所定の部位で結紐して前記カバーを取り付ける紐状体で形成した乳母車用カバーとすることができる。
【００２０】
上記紐状体、あるいは、上述した係止部材の前記面ファスナ等は、前記弾性線状体と異なり、結紐する強さ、あるいは、係止する部位によって、カバーを乳母車へ取り付ける具合を調節して取り付けることができる。
【００２１】
また、上述した弾性線状体、係止部材、又は、紐状体等の取り付け手段は、互いに組み合わせて乳母車用カバーを形成して乳母車に取り付けることを含む。
【００２２】
【発明の効果】
この発明によれば、カバー面を網目状に形成し、しかも、網目を乳母車用カバー内に進入する蚊や蝿等の虫を疎外する細目に形成すれば、虫や埃等から乳幼児を保護することができ、しかも、カバー内の通気性を確保することができるため、カバー内の乳幼児は夏場であっても蒸れたりすることがない。
【００２３】
さらに、例えば、乳母車の前面部に対応する位置等カバー面における所定の部位に、所定大の透明のシート部材を用いて少なくとも１つ窓部を形成した場合、乳幼児は、透明の窓部を通じてカバー外の景色を見れば、網目状のカバーの該網目が目障りとならず、快適に乗車することができる。
【００２４】
なお、上記窓部を、紫外線カット機能等を有する窓部に形成すれば、さらに乳幼児を保護することができる。
【００２５】
また、取り付け手段を用いれば、容易に、且つ、取り付け具合を調節して取り付けることができ、該取り付け手段が地面に接触することもないため、清潔な状態を維持することができる。
【００２６】
前記カバーの外周縁に該外周縁を絞り込む弾性線状体を取り付ければ、カバー内への虫や埃等の進入を防ぐことがでるとともに、カバーの外周端部が地面に接触することもないため、汚れにくく清潔な状態で使用することができる。
【００２７】
【発明の実施の形態】
この発明の一実施形態を、以下図面を用いて説明する。
図１に示すごとく、乳母車Ａは、該乳母車Ａの下部で、且つ、左右両側に対応する部位に、前輪１１と後輪１２とを備え、乳母車Ａの左右両側に位置する前輪１１の間の上側には幼児が足を載置する踏み台１３を形成している。
【００２８】
さらに、前記左右の各前輪１１の高さからそれぞれ上方へ上がるにつれて乳母車Ａの後方側に傾斜した、金属製で、且つ、断面形状が円筒形の枠部材１４を形成している。さらに、乳母車Ａの後側上部に位置する該枠部材１４の上端部を互いに結合して一体として乳母車Ａの背面から該乳母車Ａを押し動かすための水平方向のバー１４ａを備えている。
【００２９】
また、乳母車Ａの略中間位置で枠部材１４を支持する支持枠部材１５は、一端を枠部材１４と支持する形態で取り付けて、他端は後輪１２が取り付いている部位から取り付けている。
【００３０】
また、前記踏み台１３の上側には乳母車Ａの中部から上部にかけて座席部１６ａと背当て部１６ｂとを備えた座席用マット部材１６を枠部材１４、及び、支持枠部材１５に取り付けて形成し、さらに、座席用マット部材１６の上側には、日除け用の幌体１０を枠部材１４に取り付けて形成している。
【００３１】
さらに、上述した構成を採る乳母車Ａにおける枠部材１４の上方部位には、乳母車Ａの前側面に対応する全体を覆う縦断した半卵状（又は縦長椀状）の形態で、乳母車用カバー１７を取り付いている。
【００３２】
図２に示すごとく、前記乳母車用カバー１７の構成は、カバー面全体を網目状のネット部材１８を用いて形成しているが、幼児が乗車している乳母車Ａに対して、上記乳母車用カバー１７を上述した形態で取り付けた時、該乳母車用カバー１７面における幼児の頭部相当部位には、透明色で、且つ、可撓性、及び、撥水性を有し略方形をした窓部１９を形成している。
【００３３】
前記窓部１９は、ネット部材１８における該窓部１９に相当する部位を切り取り、該切り取った縁部と合成樹脂の透明板状のシート部材１９ｂの外周縁部とを縫着して窓部１９を形成しており、縫着する際は、該両縁部の重合部に、ステッチ１９ａを用いて、窓部１９とネット部材１８とをより強固に縫着している。
【００３４】
さらに、乳母車用カバー１７の外周縁部にも、ステッチ２１を縫着し、該ステッチ２１内には乳母車用カバー１７の外周縁部全体を放射状に伸縮可能とするゴム紐２２を封入している。
【００３５】
しかも、乳母車用カバー１７の外周縁部にステッチ２１を縫着する際に、乳母車Ａに乳母車用カバー１７を取り付けた状態において乳母車用カバー１７の上端部に相当する部位の左右両側には、それぞれ２本の紐部材２３の片端部を、乳母車用カバー１７の表面側から一緒に縫着している。
【００３６】
また、乳母車用カバー１７の外周縁部にステッチ２１を縫着する際に、上述と同様に乳母車Ａに乳母車用カバー１７を取り付けた状態において乳母車用カバー１７の下端部に相当する部位の左右両側には、それぞれ２本のゴム紐部材２４の片端部を、カバー表面側、及び、裏面側から一緒に縫着している。
【００３７】
該左右両側にそれぞれ縫着した２本のゴム紐部材２４における自由端部には、それぞれスナップ２５の一方の側と該スナップ２５の他方の側とを係止可能に縫着している。
【００３８】
上述した乳母車用カバー１７の乳母車Ａへの取り付けは、幌体１０の後側縁部に乳母車用カバー１７の外周縁部における窓部１９の上端側部位の外周縁部を掛止するとともに、乳母車Ａの左右各枠部材１４における水平バー１４ａの下端側部位に乳母車用カバー１７の紐部材２３を用いて繋着し、乳母車用カバー１７の上部が幌体１０から外れないように固定する。
【００３９】
さらに、乳母車Ａの左右両側に位置する枠部材１４における前輪１１の上側相当部位に、乳母車用カバー１７下部に左右両側で２本づつ縫着したゴム紐部材２５を、互いに逆方向から枠部材１４に巻きつけて、対向した自由端部どうしを上記一対のスナップ２５で係合して、枠部材１４に乳母車用カバー１７の下端部を取り付ける。
【００４０】
なお、上述するごとく、乳母車用カバー１７の下端部に縫着した乳母車Ａへの取り付け手段を紐部材２３とせず、ゴム紐部材２４を用いれば、上述したようにスナップ２５で係合した後に、ゴム紐部材２４が伸縮して枠部材１４にぴたりと巻きつく。これに対して、乳母車用カバー１７の下端部に紐部材２３を用いた場合、繋着後のゴム紐部材２４が前輪１１に巻きつくこともない。
【００４１】
このため、乳母車の下端部に相当する部位にゴム紐部材２４を用いることで係合した後、該ゴム紐部材２４が垂下することがないため、前輪１１に巻きつくことや、汚れることがない。
【００４２】
上述した手順で乳母車Ａに取り付けた乳母車用カバー１７は、幼児の前側面、及び、左右両側を被覆した形態となる。すなわち、乳母車Ａの上部には幌体１０、背面には背当て部１６ｂ、底面には座席部１６ａと踏み台１３とが存在するため、幼児の略全面で蚊等の外的要因から幼児を保護することができる。
【００４３】
さらに、乳母車用カバー１７を取り付けても窓部１９を形成しているため、幼児は、前方の視界を遮られることがない。しかも、乳母車用カバー１７におけるその他の部位を、ネット部材１８で形成することで通気性を確保できるとともに、虫等から幼児を保護できるため、幼児は、快適な状態を確保することができる。
【００４４】
また、窓部１９と乳母車用カバー１７の下端部との間に位置するネット部材１８は、乳母車Ａに被覆した時に余裕をもった膨らみを備えた大きさで形成している。このため、座席用マット部材１６に幼児が着席した際、該ネット部材１８に幼児の膝等が押圧されて圧迫感を感じることもなく、幼児は快適に乗車した状態を確保することができる。
さらに、乳母車Ａの前部に手すり部を突き出して形成している乳母車Ａの場合でも、乳母車用カバー１７を取り付けることができる。
【００４５】
また、乳母車用カバー１７は、乳母車Ａに対して上述した取り付け形態を採るため、保護者は、いちいち乳母車Ａの上方から被覆したりする必要もなく、乳母車Ａの前側面に対応する部位を被覆するだけでよく、取り付けも枠部材１４に取り付けるだけで乳母車用カバー１７は、容易に乳母車Ａに取り付けることができる。
【００４６】
また、乳母車Ａの上部に幌体１０が存在していなくても、乳母車用カバー１７は、上述した実施例のごとく紐部材２３を用いて該乳母車用カバー１７の上端部を乳母車Ａに取り付けることができるが、例えば、乳母車用カバー２６の上端部を乳母車に取り付ける手段としては、上記紐部材２３ではなくて、合成樹脂で形成したフック２７を用いた場合、乳母車Ａに幌体１０が取り付けていれば、該係止部材２７を幌体１０の後側縁部に係止すれば乳母車用カバー２６の上端部を取り付けることができるが、乳母車Ａに幌体１０が取り付けていない場合は、図３に示すごとく水平バー１４ａにフック２７を係止して乳母車用カバー２６の上端部を乳母車Ａに取り付けることができる。このように、取り付ければ、水平バー１４ａに引っ掛けるだけで容易に乳母車Ａへ取り付けることができ、且つ、保護者が乳母車Ａの背面において水平バー１４ａを押すときでもフック２７は、邪魔にならない。
【００４７】
上述するごとく乳母車用カバー２６の乳母車Ａへの取り付けは、上記紐部材に限らない。例えば、面ファスナを用いて行えば、上記紐部材２３のごとく枠部材１４に結びつける必要がなく、容易に離間可能に係止して乳母車Ａに取り付けることができる。その他、スライドファスナ、フック等を用いて取り付けても構わない。
【００４８】
次に、乳母車用カバーを構成する窓部の実施形態を中心に説明する。
図４に示すごとく、他の実施形態を採る乳母車用カバー２８として、幼児が乗車している乳母車Ａに対して、上記乳母車用カバー１７を上述した形態で取り付けた時、窓部は、幼児に対して前方に対応する部位の窓部１９に限らず、左右側面部に対応する部位に窓部３１を形成することができる。
このように、窓部１９、３１は、カバー面における所定の部位に、所定大に、複数個形成することができる。
【００４９】
さらに、図５に示すごとく、他の実施形態を採る乳母車用カバー３０として、窓部２９のシート部材２９ａを伸張した状態で該窓部２９の外周部に合成樹脂の枠２９ｂ体を熱溶着等の手段で固着して形成してもよい。
【００５０】
上記構成を採れば、窓部２９は、伸張した状態を維持することができるため、たとえネット部材１８が揺らいだり皺が生じても、窓部２９には皺が生じず、透視性を確保することができる。
【００５１】
さらに、図６に示すごとく、他の実施形態を採る乳母車用カバー４０として、乳母車用カバー４０の外周端部における乳母車Ａの下部に相当する部位（乳母車Ａの左右両側のゴム紐部材２４の間の部位）を除く外周端部沿いに、所定の幅（例えば１５ｃｍ）を備え、且つ、乳母車用カバー４０と同一の材質であるネット部材１８を用いて形成したまち部材４１を縫着してもよい。
【００５２】
上記構成をとれば、乳母車用カバー４０を乳母車Ａに取り付けたときに、幌体１０の後側端部と背当て部１６ｂの上端部との間の隙間や、枠部材１４と座席用マット部材１６との間の隙間等の虫等が乳母車用カバー４０内へ進入可能な隙間がたとえ存在しても、垂下したまち部材４１が該隙間を塞いで蚊等の乳母車用カバー４０内への進入を防ぐことができるため（図６の乳母車Ａの上部を一部拡大した背面図参照。）、より確実に幼児を保護することができる。
【００５３】
また、乳母車Ａの下端部には、まち部材４１を縫着しておらず、該まち部材４１が垂下していない状態であるため、縫着したまち部材４１が前輪１１や地面に接触して、汚れることがない。
【００５４】
特に、図７に示すごとく乳母車Ａの下端部にもまち部材４１を形成した場合、乳母車Ａの下端部で垂下するまち部材４１を乳母車用カバー５０外周縁部の乳母車Ａの下端部の左右両側に位置する部位のゴム紐２４を縫着した部位における、まち部材４１にそれぞれ幅方向に切り込み線をいれておく。さらに左右両側を切り込んで独立させた乳母車Ａの下端部のフラップ状になったまち部材４１の表面には面ファスナの一方の係合縁４１ｂを添着し、さらに、切り込み線の外側付近のまち部材４１、すなわち、乳母車Ａ下部の左右両側に位置するまち部材４１の裏面には面ファスナの他方の係合縁を添着４１ａしている。
【００５５】
上記構成を採る乳母車用カバー５０は、乳母車Ａ下部の左右両側に位置するまち部材４１をそれぞれ乳母車Ａの底面側に折り込み、さらに、乳母車Ａの下端部に位置するまち部材４１も底面側に折り込んで各まち部材４１が重合する部位に添着した面ファスナ４１ａ、４１ｂで係合してまち部材４１を乳母車Ａの底面で固定する。これにより、乳母車Ａの底面は完全に塞がり、蚊等の外的要因の進入を防ぐことができ、幼児を完全に保護することができる。
また、この場合も、まち部材４１が乳母車Ａの下部で垂下しないために汚れず、見栄えを確保することができる。
【００５６】
上述の実施形態と、この発明の構成との対応において、
この実施形態のゴム紐部材２２は、この発明の弾性線状態に対応し、
以下同様に、
フック２７は、係止部材に対応し、
紐部材２３、又は、ゴム紐部材２４、及び、スナップ２５は、紐状体に対応するも、
この発明は、上述の実施形態の構成のみに限定されるものではなく、多くの実施の形態を得ることができる。
【図面の簡単な説明】
【図１】乳母車用カバーを被覆した乳母車の外観図。
【図２】乳母車用カバーの外観図。
【図３】他の乳母車用カバーを被覆した乳母車の外観図。
【図４】側面にも窓部を形成した乳母車用カバーを被覆した乳母車の外観図。
【図５】さらに他の乳母車用カバーを被覆した乳母車の外観図。
【図６】手段の他の例の乳母車用カバーを被覆した乳母車の外観図。
【図７】さらに手段の他の例の乳母車用カバーを被覆した乳母車の外観図。
【符号の説明】
Ａ…乳母車
１７、２６、２８、３０、４０、５０…乳母車用カバー
１８…ネット部材
１９、２９、３１…窓部
１９ｂ、２９ａ、３１ｂ…シート部材
２２…ゴム紐
２３…紐部材
２４…ゴム紐
２５…スナップ
２７…フック
４１…まち部材
【図１】
2004291931.tif 000003
【図２】
2004291931.tif 000004
【図３】
2004291931.tif 000005
【図４】
2004291931.tif 000006
【図５】
2004291931.tif 000007
【図６】
2004291931.tif 000008
【図７】
2004291931.tif 000009